(57)【要約】【課題】中央の追尾フィルタとローカルセンサの制限された伝送容量を持つ環境においてもセンサシステム全体の高い追尾性能を得る。【解決手段】目標群１１を観測して目標の運動諸元を推定するセンサ群１２と、センサ群からの情報を用いてセンサの優先度を算出する航跡情報評価器１３と、センサの優先度に基づいて各センサから伝送する情報の出力内容並びに伝送容量を制御する通信伝送量評価器１４と、センサ群１２からの出力内容並びに伝送容量が制御された情報を入力し、各目標毎並びに各センサ毎に整理する観測情報・航跡情報統合器１５と、各目標毎並びに各センサ毎に整理された情報を用いて各目標毎に追尾計算を行い目標の航跡情報を更新する中央の追尾フィルタ１６と、各目標の更新後の航跡情報および各目標毎並びに各センサ毎に整理された観測情報を用いてセンサと目標に係る評価値を算出してセンサ群の動作を制御する追尾性能評価器１７とを備える。【選択図】図１
2006047050.tif 000002
【特許請求の範囲】
【請求項１】
目標群を観測する複数のセンサと、各センサに対応して備えられ目標の運動諸元を推定する複数の追尾フィルタとを有するセンサ群と、
前記センサ群から出力される情報を用いて前記センサ群のどのセンサのどの目標におけるどの情報を優先して出力するかのセンサの優先度を算出する航跡情報評価器と、
前記航跡情報評価器からのセンサの優先度に基づいて前記センサ群の各センサから伝送する情報の出力内容並びに伝送容量を、各センサの各目標に対する配分ルールを決めて制御する通信伝送量評価器と、
前記センサ群からの出力内容並びに伝送容量が制御された航跡情報及び観測情報を入力し、各目標毎並びに各センサ毎に整理する観測情報・航跡情報統合器と、
前記観測情報・航跡情報統合器からの各目標毎並びに各センサ毎に整理された航跡情報および観測情報を用いて各目標毎に追尾計算を行い目標の航跡情報を更新する中央の追尾フィルタと、
前記中央の追尾フィルタから出力される各目標の更新後の航跡情報および各目標毎並びに各センサ毎に整理された観測情報を用いてセンサに係る評価値と目標に係る評価値を算出しこれら評価値を用いて前記センサ群の動作を制御する追尾性能評価器と
を備えた追尾装置。
【請求項２】
請求項１に記載の追尾装置において、
前記航跡情報評価器からのセンサの優先度を用いて通信伝送速度非対称型通信における上りと下りの伝送速度および伝送容量の情報を決める通信伝送量調整器をさらに備え、
前記通信伝送量評価器は、前記通信伝送量調整器から入力される通信伝送速度非対称型通信における上りと下りの伝送速度および伝送容量の情報と前記航跡情報評価器からのセンサの優先度とに基づいて前記センサ群の各センサと前記中央の追尾フィルタとの間の通信回線におけるデータの伝送容量を、各センサの各目標に対する配分ルールを決めて制御する
ことを特徴とする追尾装置。
【請求項３】
請求項１に記載の追尾装置において、
追尾性能評価器で算出されたセンサに係る評価値と目標に係る評価値を用いて、前記センサ群の各センサにおける航跡情報が前記中央の追尾フィルタから得られる最新の航跡情報に比べて精度が悪い場合に最新の航跡情報で上書きすることを決定し、決定したセンサに対し最新の航跡情報で上書きするよう前記センサ群に制御信号を出力する航跡情報制御器をさらに備えた
ことを特徴とする追尾装置。
【請求項４】
請求項１に記載の追尾装置において、
前記航跡情報評価器からのセンサの優先度を用いて、前記センサ群の各センサから前記中央の追尾フィルタへ伝送する際のサンプリング間隔を変える制御信号を前記通信伝送量評価器へ出力するサンプリング制御器をさらに備え、
前記通信伝送量評価器は、前記サンプリング制御器から入力される制御信号と、前記航跡情報評価器から入力されるセンサの優先度を元に、前記センサ群の各センサと前記中央の追尾フィルタとの間の通信回線におけるデータの伝送容量を、各センサの各目標に対する配分ルールを決め、当該配分ルールに基づいて、前記センサ群中の各センサから前記中央の追尾フィルタへ伝送する航跡情報や観測情報の出力内容、伝送容量および伝送タイミングを制御するための制御信号を前記センサ群へ出力する
ことを特徴とする追尾装置。
【請求項５】
請求項１に記載の追尾装置において、
前記航跡情報評価器からのセンサの優先度を用いて、航跡情報と観測情報からなる情報の内、どの情報を多く伝送するかの配分を決める制御信号を前記通信伝送量評価器へ出力すると共に、追尾状況や観測状況に応じて、航跡統合を航跡統合方式により行うか探知データ統合方式により行うかの制御信号を前記中央の追尾フィルタへ出力する観測情報・航跡情報制御器をさらに備え、
前記通信伝送量評価器は、前記観測情報・航跡情報制御器から入力される制御信号と、前記航跡情報評価器から入力されるセンサの優先度を元に、航跡情報と観測情報からなる情報の内、どの情報を多く伝送するかの配分を決め、当該配分にしたがってセンサ群から出力される航跡情報と観測情報との配分を制御するための制御信号を前記センサ群へ出力し、
前記中央の追尾フィルタは、前記観測情報・航跡情報制御器から入力される制御信号に基づいて追尾計算の際の統合方式を決める
ことを特徴とする追尾装置。
【請求項６】
請求項１に記載の追尾装置において、
前記航跡情報評価器から入力されるセンサの優先度を用いて、航跡情報および観測情報からなる情報から密集目標と判断された場合、密集目標であることを考慮して、航跡情報および観測情報からなる情報の内、どの情報を多く送るかの配分を決める制御信号を前記通信伝送量評価器へ出力すると共に、グループトラックを行うための制御信号を前記中央の追尾フィルタへ出力する観測情報・航跡情報制御器をさらに備え、
前記通信伝送量評価器は、前記観測情報・航跡情報制御器から入力される制御信号と、前記航跡情報評価器から入力されるセンサの優先度を元に、航跡情報および観測情報からなる情報の内、どの情報を多く送るかの配分を決め、当該配分にしたがってセンサ群から出力される航跡情報と観測情報との配分を制御するための制御信号を前記センサ群へ出力し、
前記中央の追尾フィルタは、前記観測情報・航跡情報制御器から入力される制御信号に基づいてグループトラックを行う
ことを特徴とする追尾装置。
【請求項７】
請求項１に記載の追尾装置において、
追尾性能と観測情報数の関係から決定される、センサ群中の各センサから中央の追尾フィルタへの伝送量の配分を決める重みの情報を予め格納したデータベースと、
前記データベースから追尾性能と観測情報数の情報に応じた各センサから中央の追尾フィルタへの伝送量の配分を決める重みの情報を得て、当該伝送量の配分を決める重みの情報と前記航跡情報評価器から入力されるセンサの優先度を用いて、追尾状況や観測状況に応じて、航跡情報と観測情報からなる情報の内、どの情報をより多く送るかの配分を決める制御信号を前記通信伝送量評価器へ出力する観測情報・航跡情報制御器をさらに備え、
前記通信伝送量評価器は、前記観測情報・航跡情報制御器から入力される制御信号と、前記航跡情報評価器から入力されるセンサの優先度を元に、航跡情報および観測情報からなる情報の内、どの情報を多く送るかの配分を決め、当該配分にしたがってセンサ群から出力される航跡情報と観測情報との配分を制御するための制御信号を前記センサ群へ出力する
ことを特徴とする追尾装置。
【請求項８】
請求項１に記載の追尾装置において、
前記センサ群内に、当該センサ群を構成する数より少ない数の複数のセンサ及び追尾フィルタに対し、航跡情報を航跡統合方式により統合した統合航跡を前記観測情報・航跡情報統合器に出力する航跡統合器を有するセンサ群を備えた
ことを特徴とする追尾装置。
【請求項９】
請求項１に記載の追尾装置において、
前記センサ群内に、当該センサ群を構成する数より少ない数の複数のセンサ及び追尾フィルタに対し、観測情報を用いて探知データ統合方式により統合した統合航跡を前記観測情報・航跡情報統合器に出力する探知データ統合器を有するセンサ群を備えた
ことを特徴とする追尾装置。
【請求項１０】
請求項１に記載の追尾装置において、
前記中央の追尾フィルタから得られる航跡情報及び観測情報を格納する航跡情報・観測情報データベースと、
前記中央の追尾フィルタからの航跡情報及び観測情報と、前記航跡情報・観測情報データベースからの航跡情報及び観測情報とに基づいて航跡情報及び観測情報の目標についての仮説を作成する仮説処理器と
をさらに備え、
前記中央の追尾フィルタは、前記仮説処理器からの仮説を用いて追尾計算を行う
ことを特徴とする追尾装置。
【請求項１１】
請求項１に記載の追尾装置において、
前記センサ群に、クロスレンジ誤差を抑圧するためのセンサ・追尾フィルタをさらに備えた
ことを特徴とする追尾装置。
【請求項１２】
請求項１に記載の追尾装置において、
前記航跡情報評価器から入力されるセンサの優先度を元に、追尾対象目標の周りのある限られた領域内の観測情報だけ出力するための制御信号を前記通信伝送量評価器に出力する伝送データ領域調整器をさらに備え、
前記通信伝送量評価器は、前記伝送データ領域調整器からの制御信号と、前記航跡情報評価器から入力されるセンサの優先度を用いて、各センサと中央の追尾フィルタとの間の通信回線におけるデータの伝送容量を、各センサの各目標に対する配分ルールを決めて制御する制御信号を前記センサ群へ出力する
ことを特徴とする追尾装置。
【請求項１３】
請求項１２に記載の追尾装置において、
前記伝送データ領域調整器からの制御信号と、前記観測情報・航跡情報統合器から出力される、各目標毎に整理された航跡情報および観測情報とに基づいて、前記伝送データ領域調整器よりもさらに小さい追尾処理用の領域を設定し、設定した追尾処理用の領域内の観測情報のみ使用するための制御信号を、前記中央の追尾フィルタに出力する他の伝送データ領域調整器をさらに備え、
前記中央の追尾フィルタは、他の伝送データ領域調整器からの制御信号に基づいて追尾処理を行う
ことを特徴とする追尾装置。
【請求項１４】
請求項１に記載の追尾装置において、
前記観測情報・航跡情報統合器から入力される、各目標毎に整理された航跡情報および観測情報と、前記センサ群から入力される、目標の脅威情報とを用いて、観測領域毎に、探知データ統合方式と航跡統合方式による追尾処理を行うための制御信号を、前記中央の追尾フィルタに出力するデータ融合方式調整器をさらに備え、
前記中央の追尾フィルタは、前記データ融合方式調整器からの制御信号に基づいて、観測領域毎に、探知データ統合方式と航跡統合方式とによる追尾処理を行う
ことを特徴とする追尾装置。
【請求項１５】
請求項１に記載の追尾装置において、
前記センサ群から出力に基づいて目標とあるセンサを結ぶベクトルと、目標と他のセンサを結ぶベクトルとの内積に基づいて観測情報の優劣を判定し、判定結果を前記通信伝送量評価器に出力するセンサ選択調整器をさらに備え、
前記通信伝送量評価器は、前記センサ選択調整器からの判定結果と、前記航跡情報評価器からのセンサの優先度を元に、各センサと前記中央の追尾フィルタとの間の通信回線におけるデータの伝送容量を、各センサの各目標に対する配分ルールを決めて制御する制御信号を前記センサ群へ出力する
ことを特徴とする追尾装置。
【請求項１６】
請求項１に記載の追尾装置において、
前記航跡情報評価器と前記通信伝送量評価器及び前記中央の追尾フィルタからの過去の追尾情報を格納する追尾性能データベースと、
前記追尾性能データベースに格納された追尾情報から最適な伝送量を決定するためのルールを抽出する伝送量制御ルール抽出器と、
前記伝送量制御ルール抽出器により抽出したルールを格納する伝送量制御ルールベースと
をさらに備え、
前記通信伝送量評価器は、航跡情報評価器からの情報を基に前記伝送量制御ルールベースから適用可能なルールを選択し、選択されたルールを適用して各センサと中央の追尾フィルタとの間における通信伝送容量を決定する
ことを特徴とする追尾装置。
【請求項１７】
請求項１６に記載の追尾装置において、
追尾性能データを計算機シミュレーションによって計算する追尾性能予測器をさらに備え、
前記追尾性能データベースは、前記追尾性能予測器により計算された追尾性能データをも格納する
ことを特徴とする追尾装置。
【請求項１８】
目標群を観測する複数のセンサと各センサに対して備えられ目標の運動諸元を推定する複数の追尾フィルタとを有するセンサ群による観測情報、脅威情報および航跡情報を取得するステップと、
前記センサ群から得られる、一部の航跡情報、観測情報、脅威情報を元に、センサの優先度を決めるステップと、
センサの優先度を元に、どの観測情報または航跡情報を中央の追尾フィルタに伝送するかを決めるステップと、
センサの優先度を元に、前記中央の追尾フィルタへ伝送する際の伝送容量を決めるステップと、
決められた伝送容量まで航跡情報および観測情報を前記中央の追尾フィルタに伝送するステップと、
前記センサ群から伝送された航跡情報および観測情報を各目標毎に整理するステップと、
前記中央の追尾フィルタにおいて追尾処理を行い、各目標の航跡情報を算出して航跡情報を更新するステップと、
センサの動作状態に係る評価値、センサの観測効果の評価値、センサ割当の評価値、目標の追尾性能評価値を算出するステップと、
センサの動作状態に係る評価値、センサの観測効果の評価値、センサ割当の評価値と、目標の追尾性能評価値を元に、センサ群の動作制御を行うステップと、
観測情報、脅威情報および航跡情報を取得するステップからセンサ群の動作制御を行うステップまでの処理を所定の終了条件に達するまで繰り返し制御するステップと
を備えた追尾処理方法。
【発明の詳細な説明】
【技術分野】
【０００１】
この発明は、複数の目標を観測する複数のセンサを用いて、各センサ毎の通信状況を考慮しながら目標の追尾性能を向上させる追尾装置及び追尾処理方法に関するものである。
【背景技術】
【０００２】
現在、複数のセンサを用いて複数の目標を追尾する技術については、すでに多くの論文や特許等の公知文献で取り挙げられており、様々な提案がなされていることは周知のところである。このような装置の一例として、複数のセンサで複数の目標を追尾する際、各センサの各目標への割り当てを管理する技術が知られている（例えば、特許文献１参照）。
【０００３】
【特許文献１】特開２０００−７５０２３号公報
【発明の開示】
【発明が解決しようとする課題】
【０００４】
然るに、このような追尾処理において、基本的に正確な追尾結果が得られる場合、なるべく大量の観測情報および航跡情報を伝送する必要がある状況と、逆に、大量の観測情報および航跡情報を伝送する必要がない状況とがある。
【０００５】
大量の観測情報および航跡情報を伝送する必要がある状況、つまり詳細な観測情報および航跡情報を必要とする状況は、例えば、高クラッタ領域中の旋回目標や、密集している多目標など、追尾が比較的難しいケースである。
【０００６】
一方、大量な観測情報および航跡情報を伝送する必要がない状況、つまり詳細な観測情報および航跡情報を必要としない状況は、低クラッタ領域中の直進目標など追尾が比較的簡単なケースである。
【０００７】
前記のように、高クラッタ領域中の旋回目標や、密集している多目標を正確に追尾しようとした場合、大量の観測情報および航跡情報を必要とする。しかしながら、各センサから得られる観測情報および各センサが持つ追尾フィルタから得られる航跡情報を用いて中央の追尾フィルタで追尾計算を行う際、中央の追尾フィルタと各ローカルセンサとの間のデータ伝送を考えると、伝送容量に制限がある場合、従来の追尾装置の構成では、データ伝送容量を考慮して、航跡精度向上という意味で適切な伝送容量配分がなされてない。そのため、航跡精度向上に必要な観測情報および航跡情報を伝送できないケースも想定される。このようなケースでは正確な追尾結果が得られない。
【０００８】
また、前記のように低クラッタ領域中の直進目標などを追尾しようとした場合では、少量の観測情報および航跡情報で良い航跡精度が得られる場合がある。さらに、低クラッタ領域中の直進目標などを追尾しようとした場合で、大量の観測情報および航跡情報が各ローカルセンサから中央の追尾フィルタに入力された場合、大量の観測情報および航跡情報の中には、航跡精度向上に寄与しない情報もあるため、中央の追尾フィルタで計算した航跡精度は逆に悪くなることが想定される。
【０００９】
したがって、低クラッタ領域中の直進目標などの追尾においては、高クラッタ領域中の旋回目標や、密集している多目標などの追尾に比べ、少量の観測情報や航跡情報で十分な航跡精度が得られることが想定され、データ伝送容量も少なく済むはずである。しかし、システム全体として、余ったデータ伝送容量を、高クラッタ領域中の旋回目標や密集している多目標の追尾を行うためのデータ伝送容量へと配分するといった適切な伝送容量配分がなされていない。
【００１０】
この発明は、前述した課題を解決するためになされたもので、中央の追尾フィルタとローカルセンサとの制限された伝送容量の中で、適切な伝送容量の配分を行うことにより、中央の追尾フィルタとローカルセンサの制限された伝送容量を持つ環境においても、センサシステム全体の高い追尾性能を得ることが可能な追尾装置および追尾処理方法を得ることを目的とする。
【課題を解決するための手段】
【００１１】
この発明に係る追尾装置は、目標群を観測する複数のセンサと、各センサに対応して備えられ目標の運動諸元を推定する複数の追尾フィルタとを有するセンサ群と、前記センサ群から出力される情報を用いて前記センサ群のどのセンサのどの目標におけるどの情報を優先して出力するかのセンサの優先度を算出する航跡情報評価器と、前記航跡情報評価器からのセンサの優先度に基づいて前記センサ群の各センサから伝送する情報の出力内容並びに伝送容量を、各センサの各目標に対する配分ルールを決めて制御する通信伝送量評価器と、前記センサ群からの出力内容並びに伝送容量が制御された航跡情報及び観測情報を入力し、各目標毎並びに各センサ毎に整理する観測情報・航跡情報統合器と、前記観測情報・航跡情報統合器からの各目標毎並びに各センサ毎に整理された航跡情報および観測情報を用いて各目標毎に追尾計算を行い目標の航跡情報を更新する中央の追尾フィルタと、前記中央の追尾フィルタから出力される各目標の更新後の航跡情報および各目標毎並びに各センサ毎に整理された観測情報を用いてセンサに係る評価値と目標に係る評価値を算出しこれら評価値を用いて前記センサ群の動作を制御する追尾性能評価器とを備えたものである。
【００１２】
また、この発明に係る追尾処理方法は、目標群を観測する複数のセンサと各センサに対して備えられ目標の運動諸元を推定する複数の追尾フィルタとを有するセンサ群による観測情報、脅威情報および航跡情報を取得するステップと、前記センサ群から得られる、一部の航跡情報、観測情報、脅威情報を元に、センサの優先度を決めるステップと、センサの優先度を元に、どの観測情報または航跡情報を中央の追尾フィルタに伝送するかを決めるステップと、センサの優先度を元に、前記中央の追尾フィルタへ伝送する際の伝送容量を決めるステップと、決められた伝送容量まで航跡情報および観測情報を前記中央の追尾フィルタに伝送するステップと、前記センサ群から伝送された航跡情報および観測情報を各目標毎に整理するステップと、前記中央の追尾フィルタにおいて追尾処理を行い、各目標の航跡情報を算出して航跡情報を更新するステップと、センサの動作状態に係る評価値、センサの観測効果の評価値、センサ割当の評価値、目標の追尾性能評価値を算出するステップと、センサの動作状態に係る評価値、センサの観測効果の評価値、センサ割当の評価値と、目標の追尾性能評価値を元に、センサ群の動作制御を行うステップと、観測情報、脅威情報および航跡情報を取得するステップからセンサ群の動作制御を行うステップまでの処理を所定の終了条件に達するまで繰り返し制御するステップとを備えたものである。
【発明の効果】
【００１３】
この発明によれば、中央の追尾フィルタとローカルセンサとの制限された伝送容量の中で、適切な伝送容量の配分を行うことにより、中央の追尾フィルタとローカルセンサの制限された伝送容量を持つ環境においても、センサシステム全体の高い追尾性能を得ることができる。
【発明を実施するための最良の形態】
【００１４】
実施の形態１．
図１は、この発明の実施の形態１に係る追尾装置の構成を示すブロック図である。
図１に示す実施の形態１に係る追尾装置は、例えば、航空機がｎ個の目標（１）〜目標（ｎ）から構成された目標群１１に対し、これら目標（１）〜目標（ｎ）を観測するｍ個のセンサと、各センサがそれぞれ保有し、目標の運動諸元を推定するｍ個の追尾フィルタとを有するセンサ群１２と、センサ群１２からの出力情報を用いてどのセンサのどの目標におけるどの情報を優先して出力するかのセンサの優先度を算出する航跡情報評価器１３と、この航跡情報評価器１３から出力されるセンサの優先度に基づいて各センサと後述する中央の追尾フィルタ１６との間の通信回線におけるデータの伝送容量を、各センサの各目標に対し、どのように配分したらよいかのルールを決め、そのルールに基づいてセンサ群１２中の各センサから中央の追尾フィルタ１６へ伝送する情報の出力内容および伝送容量を制御するための制御信号をセンサ群１２へ出力する通信伝送量評価器１４と、前記センサ群１２からの出力内容や伝送容量が制御された航跡情報や観測情報を入力し、各目標毎並びに各センサ毎に整理された航跡情報および観測情報を出力する観測情報・航跡情報統合器１５と、この観測情報・航跡情報統合器１５からの各目標毎並びに各センサ毎に整理された航跡情報および観測情報を用いて各目標毎に追尾計算を行い目標の航跡情報を更新する中央の追尾フィルタ１６と、この中央の追尾フィルタ１６から出力される各目標の更新後の航跡情報および各目標毎並びに各センサ毎に整理された観測情報を用いてセンサに係る評価値と目標に係る評価値を算出し、算出された評価値に基づいてセンサ群１２の動作を制御する制御信号をセンサ群１２に出力する追尾性能評価器１７とを備えている。
【００１５】
前述した構成において、センサ群１２には、追尾性能評価器１７からセンサの動作を制御する制御信号が入力される。また、センサ群１２には、通信伝送量評価器１４からセンサ群１２中の各センサから中央の追尾フィルタ１６へ伝送する航跡情報や観測情報の出力内容および伝送容量を制御するための制御信号が入力される。
【００１６】
センサ群１２における各センサは、例えばアクティブなセンサまたはパッシブなセンサなどを想定する。これらアクティブなセンサまたはパッシブなセンサにより目標を観測する。そして、各センサで得る観測情報は、複数の目標の観測情報および不要信号を含む。
【００１７】
センサ群１２における各センサは、追尾フィルタをそれぞれ保有する。そして、センサ群１２では、センサ毎に保有する追尾フィルタを使用して追尾処理を行い、その追尾処理結果としてセンサ毎の航跡情報を得る。また、センサ群１２における各センサは、センサ毎の観測情報を得る。そして、センサ群１２は、通信伝送量評価器１４から入力される、センサ群中の各センサから中央の追尾フィルタ１６へ伝送する航跡情報や観測情報の出力内容および伝送容量を制御するための制御信号により、出力内容や伝送容量が制御された航跡情報や観測情報を、観測情報・航跡情報統合器１５に出力する。
【００１８】
ここで、航跡情報とは、カルマンフィルタの理論に基づき、追尾フィルタの計算結果である平滑ベクトル、平滑誤差共分散行列、予測ベクトル、予測誤差共分散行列、さらに、これら平滑ベクトル、平滑誤差共分散行列、予測ベクトルおよび予測誤差共分散行列から算出される航跡の信頼度、時刻である。
【００１９】
また、観測情報とは、アクティブなセンサの場合、距離、仰角、方位角の観測位置、観測精度であり、パッシブなセンサの場合、仰角、方位角の観測位置、観測精度であり、さらに、レーダ信号処理の理論における雑音対信号比であるＳ／Ｎや、探知確率、誤警報確率、時刻なども含む。
【００２０】
センサ群１２では、各センサの航跡情報の一部、各センサの観測情報の一部、各センサの脅威情報を航跡情報評価器１３に入力する。
【００２１】
航跡情報評価器１３では、センサ群１２から得られる、各センサの航跡情報の一部、各センサの観測情報の一部、各センサの脅威情報を用いて、センサ群１２における各センサおよび各目標の航跡情報、観測情報、脅威情報の内、どのセンサの、どの目標におけるどの情報を優先して出力するかのセンサの優先度を算出する。そして、センサの優先度を、後述の通信伝送量評価器１４に入力する。
【００２２】
通信伝送量評価器１４では、航跡情報評価器１３から入力されるセンサの優先度を元に、各センサと中央の追尾フィルタ１６との間の通信回線におけるデータの伝送容量を、各センサの各目標に対し、どのように配分したらよいかのルール、つまり各センサの各目標に対する配分ルールを決める。例えばルールとは、高クラッタ中の旋回目標や密集目標には観測情報が多く必要なため、データの伝送容量を多く配分するといったルール、低クラッタ領域中の直進目標には、観測情報が少なくて良いため、データの伝送容量を少なく配分するといったルールなどである。そして、前記ルールに基づいて、センサ群１２中の各センサから中央の追尾フィルタ１６へ伝送する航跡情報や観測情報の出力内容および伝送容量を制御するための制御信号を、各センサ群１２へ出力する。
【００２３】
観測情報・航跡情報統合器１５では、出力内容や伝送容量が制御された航跡情報や観測情報がセンサ群１２より入力される。そして、各目標毎に、航跡情報および観測情報を整理し、その各目標毎に整理された航跡情報および観測情報を、後述の中央の追尾フィルタ１６に入力する。
【００２４】
中央の追尾フィルタ１６には、観測情報・航跡情報統合器１５から各目標毎に整理された航跡情報および観測情報が入力される。そして、中央の追尾フィルタ１６では、各目標毎に整理された航跡情報および観測情報を用いて、各目標毎に追尾計算を行い、目標の航跡情報の更新を行う。さらに、更新後の航跡情報を追尾性能評価器１７に入力する。また、各目標毎に整理された観測情報も追尾性能評価器１７に入力する。
【００２５】
さらに、追尾性能評価器１７では、中央の追尾フィルタ１６から入力された各目標の更新後の航跡情報および各目標毎に整理された観測情報を用いて、センサの動作状態に係る評価値、センサの観測効果の評価値、センサ割当の評価値、目標の航跡情報または追尾維持率などを用いた追尾性能評価値を算出し、これらの評価値を元に、センサ群１２の動作を制御する制御信号をセンサ群１２に入力する。例えば、追尾性能評価器１７において、算出された各目標の追尾性能の評価指標により、目標の追尾性能が悪いと判定された場合、センサがその追尾性能が悪い目標を集中的に観測するように、センサの動作を制御する制御信号を出力する。
【００２６】
図２は、実施の形態１に係る追尾動作の一例を示したフローチャートである。
まず、追尾処理が開始されると、センサ群１２中の各センサは、観測情報および脅威情報を取得すると共に、各センサ毎に追尾処理を行い、航跡情報を取得する（ステップＳＴ１）。
【００２７】
航跡情報評価器１３は、センサ群１２から得られる、一部の航跡情報、観測情報、脅威情報を元に、センサの優先度を決める（ステップＳＴ２）。
【００２８】
次に、通信伝送量評価器１４は、センサの優先度を元に、どの観測情報または航跡情報を中央の追尾フィルタ１６に伝送するかを決める（ステップＳＴ３）。そして、センサの優先度を元に、中央の追尾フィルタ１６へ伝送する際の伝送容量を決める（ステップＳＴ４）。
【００２９】
センサ群１２は、これに基づき決められた伝送容量まで、中央の追尾フィルタ１６に、航跡情報および観測情報を伝送する（ステップＳＴ５）。
【００３０】
観測情報・航跡情報統合器１５は、センサ群１２から伝送された航跡情報および観測情報を各目標毎に整理する（ステップＳＴ６）。
【００３１】
そして、中央の追尾フィルタ１６において、追尾処理を行い、各目標の航跡情報を算出し、その航跡情報を更新する（ステップＳＴ７）。
【００３２】
次に、追尾性能評価器１７は、センサの動作状態に係る評価値、センサの観測効果の評価値、センサ割当の評価値、目標の追尾性能評価値を算出する（ステップＳＴ８）。そして、センサの動作状態に係る評価値、センサの観測効果の評価値、センサ割当の評価値、つまりセンサに係る評価値と、目標の追尾性能評価値、つまり目標に係る評価値を元に、センサ群の動作制御を行う（ステップＳＴ９）。
【００３３】
そして、上述した処理が終了か否かを判定して、終了と判定された場合は終了とし、終了でないと判定された場合は、時刻のカウンタを１つ足して、次の時刻の処理を行う（ステップＳＴ１０、ステップＳＴ１１）。なお、ステップＳＴ１０において、ｋはサンプリング間隔のカウンタ、ｋｅｎｄはサンプリング間隔のカウンタの終了条件を示す。
【００３４】
以上のように、この実施の形態１によれば、大量の観測情報および航跡情報を必要とする場合、例えば、高クラッタ領域中の旋回目標や、密集している多目標など、追尾が比較的難しいケースでは、センサ群１２から中央の追尾フィルタ１６へのデータ伝送量を多くし、一方、大量の観測情報および航跡情報を必要としない場合、例えば、低クラッタ領域中の直進目標など追尾が比較的簡単なケースでは、センサ群１２から中央の追尾フィルタ１６へのデータ伝送量を少なくするなどして、中央の追尾フィルタ１６とローカルセンサとの限定された伝送容量の中で、適切な伝送容量の配分を行い、限定されたセンサ群１２から中央の追尾フィルタ１６へのデータ伝送容量の中で、センサシステム全体の高い追尾性能を得ることが可能となる。
【００３５】
つまり、この実施の形態１によれば、伝送容量が制限された環境下において、追尾が比較的難しいケースでは、大量の観測情報および航跡情報が必要なため、伝送容量の割り当てを多くし、追尾が比較的簡単なケースでは、逆に少量の観測情報および航跡情報で良いため、伝送容量の割り当てを少なくし、余った伝送容量を再度、追尾が比較的難しい目標に割り当てたりするといった、めりはりをつけた伝送容量の配分を行うことが可能となり、その結果、センサシステム全体の高い追尾性能を得ることが可能となる。また、限られた演算速度で演算可能なデータ量が得られる様に、伝送容量を制御することも可能となる。
【００３６】
実施の形態２．
次に、この発明の実施の形態２に係る追尾装置について図面を参照しながら説明する。
図３は、この発明の実施の形態２に係る追尾装置の構成を示すブロック図である。
図３において、図１に示す実施の形態１と同一部分は同一符号を付して示し、その説明は省略する。新たな構成として、図３に示す実施の形態２では、航跡情報評価器１３からのセンサの優先度を用いて通信伝送速度非対称型通信における上りと下りの伝送速度および伝送容量の情報を決め通信伝送量評価器１４に出力する通信伝送量調整器１８をさらに備えており、通信伝送量評価器１４は、通信伝送量調整器１８から入力される通信伝送速度非対称型通信における上りと下りの伝送速度および伝送容量の情報と、航跡情報評価器１３から入力されるセンサの優先度を元に、センサ群１２の各センサと中央の追尾フィルタ１６との間の通信回線におけるデータの伝送容量を、各センサの各目標に対し、どのように配分したらよいかのルールを決めるようになされている。
【００３７】
図３に示す構成において、通信伝送量調整器１８では、航跡情報評価器１３から入力される、センサ群１２における各センサおよび各目標の航跡情報、観測情報、脅威情報の内、どのセンサの、どの目標におけるどの情報を出力するかを決定するセンサの優先度を用いて、センサ群１２の各センサと中央の追尾フィルタ１６との間の通信が、伝送速度が上りと下りで異なるような、通信伝送速度非対称型通信における上りと下りの伝送速度および伝送容量の情報を、通信伝送量評価器１４に出力する。
【００３８】
通信伝送量評価器１４では、通信伝送量調整器１８から入力される、通信伝送速度非対称型通信における上りと下りの伝送速度および伝送容量の情報と、航跡情報評価器１３から入力されるセンサの優先度を元に、各センサと中央の追尾フィルタ１６との間の通信回線におけるデータの伝送容量を、各センサの各目標に対し、どのように配分したらよいかのルールを決める。そして、そのルールに基づいて、センサ群１２中の各センサから中央の追尾フィルタ１６へ伝送する航跡情報や観測情報の出力内容および伝送容量を制御するための制御信号を、各センサ群１２へ出力する。
【００３９】
したがって、この実施の形態２によれば、通信伝送速度非対称型通信における通信の伝送特性を生かして、中央の追尾フィルタ１６とローカルセンサとの限定された伝送容量の中で、適切な伝送容量の配分を行うことにより、限定されたセンサ群１２から中央の追尾フィルタ１６へのデータ伝送容量の中で、センサシステム全体の高い追尾性能を得ることが可能となる。
【００４０】
つまり、この実施の形態２によれば、通信伝送速度非対称型通信を使用し、かつ、センサ群１２の各センサから中央の追尾フィルタ１６への限定されたデータ伝送容量の中で、適切な伝送容量の配分を行うことで、センサシステム全体の高い追尾性能を得ることが可能となるため、その効果は大きい。また、通信伝送速度非対称型通信は一般的に広く用いられているため、この発明の汎用性は高く、安価でセンサシステムを構築できるといった効果がある。
【００４１】
実施の形態３．
次に、この発明の実施の形態３に係る追尾装置について図面を参照しながら説明する。
図４は、この発明の実施の形態３に係る追尾装置の構成を示すブロック図である。
図４において、図１に示す実施の形態１と同一部分は同一符号を付して示し、その説明は省略する。新たな構成として、図４に示す実施の形態３では、追尾性能評価器１７で算出されたセンサに係る評価値と目標に係る評価値を用いて、センサ群１２の各センサにおける航跡情報が中央の追尾フィルタ１６から得られる最新の航跡情報に比べて精度が悪い場合に最新の航跡情報で上書きすることを決定し、決定したセンサに対し最新の航跡情報で上書きするようセンサ群１２に制御信号を出力する航跡情報制御器１９をさらに備えている。
【００４２】
図４に示す構成において、航跡情報制御器１９では、追尾性能評価器１７から、センサの動作状態に係る評価値、センサの観測効果の評価値、センサ割当の評価値、目標の追尾性能評価値、センサ群１２の動作を制御する制御信号と、航跡情報が入力される。そして、センサの動作状態に係る評価値、センサの観測効果の評価値、センサ割当の評価値、目標の追尾性能評価値を用いて、センサ群１２における各センサの航跡情報を中央の追尾フィルタ１６から得られる最新の航跡情報で上書きするか否かの決定を行う。そして、最新の航跡情報で上書きすると決定されたセンサについて、最新の航跡情報で上書きするような制御信号をセンサ群１２に出力する。ここで、最新の航跡情報で上書きされると決定された、センサ群１２の各センサにおける航跡情報は、最新の航跡情報に比べて、航跡の精度が悪いものが選択される。そして、航跡情報制御器１９では、センサ群１２の動作を制御する制御信号をセンサ群１２に出力する。
【００４３】
したがって、この実施の形態３によれば、観測精度が悪いセンサから得られた航跡精度が悪い航跡を、中央の追尾フィルタ１６で算出された航跡精度の良い航跡で上書きすることにより、航跡が上書きされたセンサの追尾性能が向上し、その結果、センサシステム全体の高い追尾性能を得ることが可能となる。
【００４４】
つまり、この実施の形態３によれば、航跡精度が悪い航跡を航跡精度が良い航跡で上書きするといった簡易な処理により、センサシステム全体の高い追尾性能が得られるため、その効果は大きい。
【００４５】
実施の形態４．
次に、この発明の実施の形態４に係る追尾装置について図面を参照しながら説明する。
図５は、この発明の実施の形態４に係る追尾装置の構成を示すブロック図である。
図５において、図１に示す実施の形態１と同一部分は同一符号を付して示し、その説明は省略する。新たな構成として、図５に示す実施の形態３では、航跡情報評価器１３からのセンサの優先度を用いて、センサ群１２の各センサから中央の追尾フィルタ１６へ伝送する際のサンプリング間隔を変える制御信号を通信伝送量評価器１４へ出力するサンプリング制御器２０をさらに備えており、通信伝送量評価器１４は、サンプリング制御器２０から入力される制御信号と、航跡情報評価器１３から入力されるセンサの優先度を元に、センサ群１２の各センサと中央の追尾フィルタ１６との間の通信回線におけるデータの伝送容量を、各センサの各目標に対し、どのように配分したらよいかのルール、つまり各センサの各目標に対する配分ルールを決め、そのルールに基づいて、センサ群１２中の各センサから中央の追尾フィルタ１６へ伝送する航跡情報や観測情報の出力内容、伝送容量および伝送タイミングを制御するための制御信号をセンサ群１２へ出力するようになされている。
【００４６】
図５に示す構成において、サンプリング制御器２０では、航跡情報評価器１３から入力されるセンサの優先度を用いて、各センサから中央の追尾フィルタ１６へ伝送する際のサンプリング間隔を変える制御信号を、通信伝送量評価器１４へ出力する。
通信伝送量評価器１４では、サンプリング制御器２０から入力される、各センサから中央の追尾フィルタ１６へ伝送する際のサンプリング間隔を変える制御信号と、航跡情報評価器１３から入力されるセンサの優先度を元に、各センサと中央の追尾フィルタ１６との間の通信回線におけるデータの伝送容量を、各センサの各目標に対し、どのように配分したらよいかのルールを決める。そして、そのルールに基づいて、センサ群１２中の各センサから中央の追尾フィルタ１６へ伝送する航跡情報や観測情報の出力内容および伝送容量を制御するための制御信号を、センサ群１２の各センサへ出力する。
【００４７】
したがって、この実施の形態４によれば、十分な航跡精度が得られており、かつサンプリング間隔が細かい航跡情報に対し、伝送する航跡情報を間引くことにより、伝送量が少なくなり、中央の追尾フィルタ１６での追尾計算の演算時間が削減される。また、この実施の形態４によれば、十分な航跡精度が得られており、かつサンプリング間隔が細かい航跡情報に対し、伝送する航跡情報を間引くことにより、間引いた分余裕のできる伝送容量を、他の航跡精度が悪い航跡情報に割り当てることにより、センサシステム全体の高い追尾性能を得ることが可能となる。
【００４８】
つまり、この実施の形態４によれば、十分な航跡精度が得られている状況で伝送する航跡情報を間引き、間引いた分余裕が出た伝送容量を他の航跡精度が悪い航跡に割り当て、その割り当てた航跡の航跡精度を向上させることが可能となるため、その効果は大きい。
【００４９】
実施の形態５．
次に、この発明の実施の形態５に係る追尾装置について図面を参照しながら説明する。
図６は、この発明の実施の形態５に係る追尾装置の構成を示すブロック図である。
図６において、図１に示す実施の形態１と同一部分は同一符号を付して示し、その説明は省略する。新たな構成として、図６に示す実施の形態５では、航跡情報評価器１３からのセンサの優先度を用いて、追尾状況や観測状況に応じて、航跡情報と観測情報からなる情報の内、どの情報をより多く送るかの配分を決め、その配分を決める制御信号を、通信伝送量評価器１４に出力すると共に、追尾状況や観測状況に応じて、中央の追尾フィルタ１６での航跡統合を航跡統合方式により行うか探知データ統合方式により行うかの制御信号を、中央の追尾フィルタ１６へ出力する第１の観測情報・航跡情報制御器２１をさらに備えており、通信伝送量評価器１４は、第１の観測情報・航跡情報制御器２１から入力される制御信号と、航跡情報評価器１３から入力されるセンサの優先度を元に、航跡情報と観測情報からなる情報の内、どの情報を多く伝送するかの配分を決め、その配分にしたがってセンサ群１２から出力される航跡情報と観測情報との配分を制御するための制御信号を前記センサ群１２へ出力し、中央の追尾フィルタ１６は、第１の観測情報・航跡情報制御器２１から入力される制御信号に基づいて追尾計算の際の統合方式を決める。
【００５０】
図６に示す構成において、第１の観測情報・航跡情報制御器２１では、航跡情報評価器１３から入力されるセンサの優先度を用いて、追尾状況や観測状況に応じて、航跡情報と観測情報からなる情報の内、どの情報をより多く送るかの配分を決め、その配分を決める制御信号を、通信伝送量評価器１４に出力する。さらに、第１の観測情報・航跡情報制御器２１では、追尾状況や観測状況に応じて、中央の追尾フィルタ１６での統合方式を、航跡統合方式により行うか探知データ統合方式により行うかの制御信号を、中央の追尾フィルタ１６へ出力する。なお、航跡統合方式および探知データ統合方式については、後に詳述する。
【００５１】
ここで、追尾状況や観測状況とは、図７に示すような高クラッタ領域中の旋回目標や、密集している多目標や、低クラッタ領域中の直進目標などである。高クラッタ領域中の旋回目標や、密集している多目標については、詳細な観測情報や航跡情報を伝送する必要ある場合であり、低クラッタ領域中の直進目標については、詳細な観測情報や航跡情報を伝送する必要がない場合である。
【００５２】
また、航跡情報は、平滑ベクトル、平滑誤差共分散行列、予測ベクトル、予測誤差共分散行列、さらに、平滑ベクトルおよび平滑誤差共分散行列および予測ベクトルおよび予測誤差共分散行列から算出される航跡の信頼度である。
【００５３】
また、観測情報とは、アクティブなセンサの場合、距離、仰角、方位角の観測位置、観測精度であり、パッシブなセンサの場合、仰角、方位角の観測位置、観測精度であり、さらに、レーダ信号処理の理論における雑音対信号比であるＳ／Ｎや、探知確率、誤警報確率なども、観測情報に含む。
【００５４】
ここで、カルマンフィルタの理論における状態ベクトルを位置、速度からなる６次元のベクトルとした時、平滑ベクトルは６行１列のベクトル、平滑誤差共分散行列は６行６列の行列、予測ベクトルは６行１列のベクトル、予測誤差共分散行列は６行６列の行列となる。ただし、平滑誤差共分散行列と予測誤差共分散行列は、線形代数学における実対称行列であるとする。実対称行列では、行列Ａの成分のｉ行ｊ列の成分をＡ（ｉ、ｊ）とした時、Ａ（ｉ、ｊ）＝Ａ（ｊ、ｉ）が成立する。
【００５５】
例えば、あるセンサから１目標分の航跡情報として、平滑ベクトル、平滑誤差共分散行列、予測ベクトル、予測誤差共分散行列、航跡の信頼度を中央の追尾フィルタ１６に伝送する場合、平滑ベクトルの成分については６成分、予測ベクトルについては６成分、平滑誤差共分散行列については２１成分、予測誤差共分散行列については２１成分、航跡の信頼度については１成分、時刻については１成分、合計、５８成分からなる数値データを伝送する場合がある。
【００５６】
また、あるアクティブなセンサから１つの観測情報として、距離、仰角、方位角の観測位置および観測精度の成分については６成分、Ｓ／Ｎ、探知確率、誤警報確率、時刻の成分については４成分、合計１０成分からなる数値データを伝送する場合がある。
【００５７】
よって、航跡情報の伝送量に比べ観測情報の数が多い場合や、航跡情報の伝送量に比べ観測情報の数が少ない場合などが考えられる。
ここで、例えば、図７における低クラッタ領域を直進する目標を、センサ群１２中のある１センサにおいて観測を行い、そして、高サンプリングレートで観測値を得て、追尾計算を行った場合は、低サンプリングレートで観測値を得て、追尾計算を行った場合に比べて、航跡情報の精度が良いことが予想される。
【００５８】
また同様に、図７における低クラッタ領域を直進する目標を、センサ群１２中のある近距離のレーダで観測を行い、観測値を得て、追尾計算を行う場合は、遠距離のレーダで観測を行い、観測値を得て、追尾計算を行った場合に比べて、航跡情報の精度が良いことが想定される。そのため、近距離のレーダから高サンプリングレートで観測値を得て、追尾計算を行う場合の航跡情報は、十分良い精度で得られるため、中央の追尾フィルタ１６に伝送する情報は、平滑ベクトルの成分についての６成分と、時刻の１成分の合計７成分だけでよいと考えられる。
【００５９】
すなわち、航跡情報の精度が十分良い場合、伝送するデータが少なくて良いことが想定され、中央の追尾フィルタ１６で再度、複数のセンサから得られる航跡情報を全て用いて、再計算を行う必要はない。
【００６０】
逆に、図７における高クラッタ環境や密集目標に対処する場合、各センサから得られる航跡情報を中央の追尾フィルタ１６に集め、中央の追尾フィルタ１６において、航跡統合方式により統合すると、逆に悪くなるケースがある。その場合、各センサから得られる観測情報を中央の追尾フィルタ１６に集め、中央の追尾フィルタ１６において、探知データ方式により統合した方が、航跡情報の精度が向上することが想定される。
【００６１】
図８に航跡統合方式の概念図、図９に探知データ統合方式の概念図をそれぞれ示す。なお、図８及び図９において、探知データは観測情報を表す。
図８において、時刻ｔ１からｔ４まで等速直線運動を行う１目標を、センサ群１２のセンサ（１）とセンサ（２）から観測した場合に、センサ（１）での観測結果だけで航跡を作成した、センサ（１）の航跡と、センサ（２）での観測結果だけで航跡を作成した、センサ（２）の航跡が得られるとする。
【００６２】
このセンサ（１）の航跡とセンサ（２）の航跡は同一目標を表すものとする。この時、センサ（１）の航跡とセンサ（２）の航跡は、目標以外のフォールスつまり不要信号を用いて、航跡が作られている様子をあらわす。このように、目標以外のフォールスに誤追尾して作成されたセンサ（１）の航跡と、同様に、目標以外のフォールスに誤追尾して作成されたセンサ（２）の航跡を統合した場合、その統合した航跡は大きくがたつく。つまり、統合航跡の航跡情報の精度が悪くなる。
【００６３】
このように、航跡統合方式では、図１０に示すように、各センサにおいて、センサ間で観測情報を共有しないで、それぞれ独立に追尾計算を行い、それぞれ独立に航跡を算出して、それら航跡を中央の追尾フィルタ１６で統合して、航跡を算出する方式である。
【００６４】
次に、図９において、時刻ｔ１からｔ４まで等速直線運動を行う１目標を、センサ群１２のセンサ（１）とセンサ（２）から観測した場合を、図８と同様に想定する。この場合、各センサの探知データを、図１１に示すように、中央の追尾フィルタ１６に集め、それら探知データから、各センサ間の観測情報を共有して、中央の追尾フィルタ１６で航跡を算出する方式である。
【００６５】
このように、実施の形態５では、第１の観測情報・航跡情報制御器２１により、追尾状況や観測状況に応じて、航跡情報と観測情報からなる情報の内、どの情報をより多く送るかの配分を決め、さらに、追尾状況や観測状況に応じて、中央の追尾フィルタ１６で航跡統合方式を行うか探知データ統合方式を行うかの制御を行うことにより、センサシステム全体の高い追尾性能を得ることが可能となる。
【００６６】
つまり、この実施の形態５によれば、追尾状況や観測状況に応じて、探知データ統合方式および航跡統合方式の内のどの方式を行うかの制御を行うことでセンサシステム全体の高い追尾性能を得ることができるため、その効果は大きい。
【００６７】
実施の形態６．
次に、この発明の実施の形態６に係る追尾装置について図面を参照しながら説明する。
図１２は、この発明の実施の形態６に係る追尾装置の構成を示すブロック図である。
図１２において、図１に示す実施の形態１と同一部分は同一符号を付して示し、その説明は省略する。新たな構成として、図１２に示す実施の形態６では、航跡情報評価器１３から入力されるセンサの優先度を用いて、追尾状況や観測状況に応じて、航跡情報と観測情報からなる情報の内、密集目標であると判断された場合、密集目標であることを考慮して、航跡情報と観測情報からなる情報の内、どの情報をより多く送るかの配分を決め、その配分を決める制御信号を、通信伝送量評価器１４に出力すると共に、密集目標であると判断した場合、中央の追尾フィルタ１６でグループトラックを行うための制御信号を、中央の追尾フィルタ１６へ出力する第２の観測情報・航跡情報制御器２２をさらに備えており、通信伝送量評価器１４は、第２の観測情報・航跡情報制御器２２から入力される制御信号と、航跡情報評価器１３から入力されるセンサの優先度を元に、航跡情報および観測情報からなる情報の内、どの情報を多く送るかの配分を決め、当該配分にしたがってセンサ群１２から出力される航跡情報と観測情報との配分を制御するための制御信号をセンサ群１２へ出力し、中央の追尾フィルタ１６は、第２の観測情報・航跡情報制御器２２から入力される制御信号に基づいてグループトラックを行うようになされている。
【００６８】
ここで、グループトラックの概念図を図１３に示す。グループトラックとは、密集した複数の目標の重心を求め、その密集目標群の重心を追尾することにより、密集目標群全体を追尾する方法である。密集目標は、目標間の距離が近いため、１つ１つの目標を追尾した場合、かえって、航跡精度が悪くなる場合があり、その影響で追尾を維持できない場合が想定される。そのため、グループトラックを行えば、密集目標群の重心を追尾することによって、追尾の維持を確保することが可能である。また、グループトラックを行うことにより、複数の目標を１つにまとめて追尾することができるため、中央の追尾フィルタ１６における演算負荷が軽減される。
【００６９】
したがって、実施の形態６によれば、密集目標群の重心を追尾するグループトラックを用いることで、密集目標群の追尾の維持が可能である。また、中央の追尾フィルタ１６における演算負荷が軽減される。
【００７０】
つまり、この実施の形態６によれば、グループトラックにより、密集目標をまとめて追尾することが可能となり、演算負荷が軽減されるため、その効果は大きい。
【００７１】
実施の形態７．
次に、この発明の実施の形態７に係る追尾装置について図面を参照しながら説明する。
図１４は、この発明の実施の形態７に係る追尾装置の構成を示すブロック図である。
図１４において、図１に示す実施の形態１と同一部分は同一符号を付して示し、その説明は省略する。新たな構成として、図１４に示す実施の形態７では、追尾性能と観測情報数の関係から決定される、センサ群１２中の各センサから中央の追尾フィルタ１６への伝送量の配分を決める重みの情報を予め格納した第１のデータベース２３と、第１のデータベース２３から追尾性能と観測情報数の情報に応じた、各センサから中央の追尾フィルタへの伝送量の配分を決める重みの情報を得て、当該伝送量の配分を決める重みの情報と航跡情報評価器１３から入力されるセンサの優先度を用いて、追尾状況や観測状況に応じて、航跡情報と観測情報からなる情報の内、どの情報をより多く送るかの配分を決める制御信号を通信伝送量評価器１４へ出力する第３の観測情報・航跡情報制御器２４をさらに備えており、通信伝送量評価器１４は、第３の観測情報・航跡情報制御器２４から入力される制御信号と、航跡情報評価器１３から入力されるセンサの優先度を元に、航跡情報および観測情報からなる情報の内、どの情報を多く送るかの配分を決め、当該配分にしたがってセンサ群から出力される航跡情報と観測情報との配分を制御するための制御信号をセンサ群１２へ出力するようになされている。
【００７２】
図１４に示す構成において、第１のデータベース２３では、追尾性能と観測情報数の関係から決定される、センサ群１２中の各センサから中央の追尾フィルタ１６への伝送量の配分を決める重みの情報をデータベースとして蓄えておく。
第３の観測情報・航跡情報制御器２４では、第１のデータベース２３へ、追尾性能と観測情報数の情報を入力する。そして、その結果、第１のデータベース２３から、センサ群１２中の各センサから中央の追尾フィルタ１６への伝送量の配分を決める重みの情報を得る。さらに、第３の観測情報・航跡情報制御器２４では、このセンサ群１２中の各センサから中央の追尾フィルタ１６への伝送量の配分を決める重みの情報と、航跡情報評価器１３から入力されるセンサの優先度を用いて、追尾状況や観測状況に応じて、航跡情報と観測情報からなる情報の内、どの情報をより多く送るかの配分を決める制御信号を、通信伝送量評価器１４に入力する。
【００７３】
したがって、この実施の形態７によると、追尾性能と観測情報数の関係から決定される、センサ群１２中の各センサから中央の追尾フィルタ１６への伝送量の配分を決める重みの情報をあらかじめデータベースとして持っておき、そのデータベースを参照することで、各センサから中央の追尾フィルタ１６への伝送量の配分を早く実行することができ、センサシステム全体の演算負荷が軽減される。そのため、その効果は大きい。
【００７４】
実施の形態８．
次に、この発明の実施の形態８に係る追尾装置について図面を参照しながら説明する。
図１５は、この発明の実施の形態８に係る追尾装置の構成を示すブロック図である。
図１５において、図１に示す実施の形態１と同一部分は同一符号を付して示し、その説明は省略する。図１５に示す実施の形態８では、センサ群１２内に、センサ群のうち、追尾性能評価器１７からの制御信号に基づいて動作するセンサ（１）〜（ｉ）及び追尾フィルタ（１）〜（ｉ）に対し、航跡情報を図１０に示す航跡統合方式により統合して統合航跡を観測情報・航跡情報統合器１５に出力する第１の航跡統合器２５を有する第１のセンサ群１２−ａを備えている。なお、ｉは２以上の整数であり、ｉ＜ｍである。
【００７５】
すなわち、この実施の形態８では、センサ群１２内に、当該センサ群を構成する数より少ない数の複数のセンサ及び追尾フィルタに対し、航跡情報を航跡統合方式により統合した統合航跡を観測情報・航跡情報統合器１５に出力する第１の航跡統合器２５を有する第１のセンサ群１２−ａを備えている。
【００７６】
図１５に示す構成において、センサ群１２では、追尾性能評価器１７から入力される制御信号を元に動作する第１のセンサ群１２−ａを構成する。そして、第１の航跡統合器２５では、第１のセンサ群１２−ａ内の、センサ（１）の追尾フィルタ（１）、センサ（２）の追尾フィルタ（２）、・・・、センサ（ｉ）の追尾フィルタ（ｉ）から航跡情報が入力されるものとする。そして、第１の航跡統合器２５では、追尾フィルタ（１）、・・・、追尾フィルタ（ｉ）から入力される航跡情報を、図１０における航跡統合方式により統合して、その統合航跡を観測情報・航跡情報統合器１５に出力する。
【００７７】
したがって、この実施の形態８によれば、センサ群１２内で事前に航跡統合を行っておくことで、センサ群１２から中央の追尾フィルタ１６へのデータ量が削減されるため、センサシステム全体の演算負荷およびセンサ群１２から中央の追尾フィルタ１６への通信負荷が低減される。
【００７８】
つまり、この実施の形態８によれば、事前にセンサ群１２の一部で航跡統合を行っておくことで、センサシステム全体の演算負荷およびセンサ群１２から中央の追尾フィルタ１６への伝送負荷が軽減されるため、その効果は大きい。
【００７９】
実施の形態９．
次に、この発明の実施の形態９に係る追尾装置について図面を参照しながら説明する。
図１６は、この発明の実施の形態９に係る追尾装置の構成を示すブロック図である。
図１６において、図１に示す実施の形態１と同一部分は同一符号を付して示し、その説明は省略する。図１６に示す実施の形態９では、センサ群１２内に、センサ群のうち、追尾性能評価器１７からの制御信号に基づいて動作するセンサ（１）〜（ｉ）及び追尾フィルタ（１）〜（ｉ）に対し、観測情報を用いて、図１１における探知データ統合方式により統合した統合航跡を観測情報・航跡情報統合器１５に出力する第１の探知データ統合器２６を有する第２のセンサ群１２−ｂを備えている。なお、ｉは２以上の整数であり、ｉ＜ｍである。
【００８０】
すなわち、この実施の形態９では、センサ群１２内に、当該センサ群を構成する数より少ない数の複数のセンサ及び追尾フィルタに対し、観測情報を用いて探知データ統合方式により統合した統合航跡を観測情報・航跡情報統合器１５に出力する第１の探知データ統合器２６を有する第２のセンサ群１２−ｂを備えている。
【００８１】
図１６に示す構成において、センサ群１２では、追尾性能評価器１７から入力される制御信号を元に動作する第２のセンサ群１２−ｂを構成する。そして、第１の探知データ統合器２６では、第２のセンサ群１２−ｂ内の、センサ（１）の追尾フィルタ（１）、センサ（２）の追尾フィルタ（２）、・・・、センサ（ｉ）の追尾フィルタ（ｉ）から、観測情報が入力されるものとする。そして、第１の探知データ統合器２６では、追尾フィルタ（１）、・・・、追尾フィルタ（ｉ）から入力される観測情報を、図１１における探知データ統合方式により統合して、その統合航跡を観測情報・航跡情報統合器１５に出力する。
【００８２】
したがって、この実施の形態９によれば、センサ群１２内で事前に探知データ統合を行っておくことで、センサ群１２から中央の追尾フィルタ１６へのデータ量が削減されるため、センサシステム全体の演算負荷および、センサ群１２から中央の追尾フィルタ１６への伝送負荷が低減される。
【００８３】
つまり、この実施の形態９によれば、事前にセンサ群１２の一部で探知データ統合を行っておくことで、センサシステム全体の演算負荷およびセンサ群１２から中央の追尾フィルタ１６への伝送負荷が軽減されるため、その効果は大きい。
【００８４】
実施の形態１０．
次に、この発明の実施の形態１０に係る追尾装置について図面を参照しながら説明する。
図１７は、この発明の実施の形態１０に係る追尾装置の構成を示すブロック図である。
図１７において、図１に示す実施の形態１と同一部分は同一符号を付して示し、その説明は省略する。新たな構成として、図１７に示す実施の形態１０では、中央の追尾フィルタ１６から得られる航跡情報及び観測情報を格納する航跡情報・観測情報データベース２７と、中央の追尾フィルタ１６からの航跡情報及び観測情報と、航跡情報・観測情報データベース２７からの航跡情報及び観測情報とに基づいて航跡情報及び観測情報の目標についての仮説を作成する仮説処理器２８とをさらに備えており、中央の追尾フィルタ１６は、仮説処理器２８からの仮説を用いて追尾計算を行うようになされている。
【００８５】
図１７に示す構成において、航跡情報・観測情報データベース２７では、中央の追尾フィルタ１６から、時々刻々と得られる航跡情報および観測情報が、図１８の（Ａ）の矢印の向きで入力され、その航跡情報および観測情報を格納する。
【００８６】
次に、仮説処理器２８では、中央の追尾フィルタ１６から目標の観測情報および航跡情報が、図１８の（Ｂ）の矢印の向きで入力され、どの航跡情報および観測情報がどの目標に相当するかの仮説を、事前に決めた時間において作成する。
【００８７】
そして、仮説処理器２８では、どの航跡情報および観測情報がどの目標に相当するかの仮説に基づいて、現時刻より数サンプリング前の航跡情報および観測情報を、航跡情報・観測情報データベース２７から出力させる制御信号を、図１８の（Ｃ）の向きで、航跡情報・観測情報データベース２７に入力する。
【００８８】
航跡情報・観測情報データベース２７では、仮説処理器２８から入力された、現時刻より数サンプリング前の航跡情報を、航跡情報・観測情報データベース２７から出力させる制御信号を元に、図１８の（Ｄ）の矢印の向きで、仮説処理器２８へと出力する。
【００８９】
そして、仮説処理器２８では、現時刻より数サンプリング前の航跡情報および観測情報を、再度、図１８（Ｅ）の矢印の向きで、中央の追尾フィルタ１６へと出力する。また、仮説処理器２８では、中央の追尾フィルタ１６において、数サンプリング前の航跡情報および観測情報と、どの航跡情報および観測情報がどの目標に相当するかの仮説を用いて、追尾計算を行う制御信号を中央の追尾フィルタ１６に入力する。
【００９０】
ここで、航跡情報・観測情報データベース２７と仮説処理器２８を用いた場合の効果を図１８、図１９、図２０を用いて説明を行う。
【００９１】
図１８は、目標１がＡからＥまで移動し、目標２がＢからＤまで移動し、目標１と目標２がＣで交差する場合の、目標１の真軌跡と目標２の真軌跡を表している。
図１９は、目標１と目標２が交差点Ｃ付近において、目標１の追尾航跡が目標２の観測値に誤追尾している状況、同様に、目標２の追尾航跡が目標１の観測値に誤追尾している状況を表す。
図２０は、図１９の時点で、目標１、目標２が誤追尾していても、数サンプリング後の観測情報および航跡情報を用いることで、目標１の追尾航跡を目標１の真軌跡に、同様に、目標２の追尾航跡を目標２の真軌跡に近づけることができる状況を表している。
【００９２】
したがって、この実施の形態１０によれば、過去の航跡情報および観測情報をデータべースとして蓄えておき、現時刻における追尾性能が悪くても、数サンプリング後に新たに得られた航跡情報および観測情報と、データベースに蓄えていた航跡情報および観測情報と、どの航跡情報および観測情報がどの目標に相当するかの仮説を用いて、中央の追尾フィルタ１６で追尾計算を行うことにより、センサシステム全体の追尾性能が向上する。
【００９３】
つまり、この実施の形態１０によれば、過去の航跡情報および観測情報、をデータベースとして蓄えておき、データベースに蓄えている航跡情報および観測情報と用いて、どの航跡情報および観測情報がどの目標に相当するかの仮説を用いることで、中央の追尾フィルタ１６で追尾計算を行うことにより、センサシステム全体の追尾性能向上が可能となるため、その効果は大きい。
【００９４】
実施の形態１１．
次に、この発明の実施の形態１１に係る追尾装置について図面を参照しながら説明する。
図２１は、この発明の実施の形態１１に係る追尾装置の構成を示すブロック図である。
図２１において、図１に示す実施の形態１と同一部分は同一符号を付して示し、その説明は省略する。新たな構成として、図２１に示す実施の形態１１では、センサ群１２内に、センサ・追尾フィルタ２９を新たに追加しており、新たに追加したセンサ・追尾フィルタ２９では、追尾性能評価器１７からの制御信号を元にセンサの配置箇所を決め、航跡情報および観測情報および時刻を出力するようになされている。
いる。
【００９５】
図２２に、新たに追加したセンサ・追尾フィルタ２９の効果を説明する概念図を示す。
図２２は、既存のセンサに新たなセンサを追加したときの目標の観測状況を表す。
図２２において、既存のセンサ（１）がＡ点にあり、Ｃ点の目標を観測している。ここで、図１２において、Ａ点のセンサ（１）からＣ点の目標を観測する際、その観測誤差の分布は、図２２のセンサ（１）の誤差楕円のような形状を持って分布する。ここで、ＡＣ方向がセンサ（１）に関するレンジ方向、ＢＣ方向がセンサ（１）に関するクロスレンジ方向となる。一般に、アクティブセンサの場合、クロスレンジ方向に比べて、レンジ方向の誤差は小さい。そのため、センサ（１）に関するクロスレンジ方向の誤差を抑圧する目的で、新たなセンサとして、センサ（２）を、センサ（２）のレンジ方向ＢＣが、センサ（１）のクロスレンジ方向ＢＣとなるように追加して配置する。
【００９６】
したがって、実施の形態１１によれば、センサ（１）とセンサ（２）の観測情報を使用することにより、クロスレンジ誤差を抑圧することができる。
【００９７】
つまり、この実施の形態１１によれば、追尾性能が悪い場合、センサを追加配置させることで、追尾性能が向上させることができるため、その効果は大きい。
【００９８】
実施の形態１２．
次に、この発明の実施の形態１２に係る追尾装置について図面を参照しながら説明する。
図２３は、この発明の実施の形態１２に係る追尾装置の構成を示すブロック図である。
図２３において、図１に示す実施の形態１と同一部分は同一符号を付して示し、その説明は省略する。新たな構成として、図２３に示す実施の形態１２では、航跡情報評価器１３から入力されるセンサの優先度を元に、追尾対象目標の周りのある限られた領域内の観測情報だけ出力するための制御信号を通信伝送量評価器１４に出力する第１の伝送データ領域調整器３０をさらに備えており、通信伝送量評価器１４は、第１の伝送データ領域調整器３０からの制御信号と、航跡情報評価器１３からのセンサの優先度を用いて、各センサと中央の追尾フィルタ１６との間の通信回線におけるデータの伝送容量を、各センサの各目標に対し、どのように配分したらよいかのルール、つまり各センサの各目標に対する配分ルールを決め、そのルールに基づいて、センサ群１２中の各センサから中央の追尾フィルタ１６へ伝送する航跡情報や観測情報の出力内容および伝送容量を制御するための制御信号をセンサ群１２へ出力するようになされている。
【００９９】
図２３に示す構成において、第１の伝送データ領域調整器３０には、航跡情報評価器１３から入力されるセンサの優先度が入力される。第１の伝送データ領域調整器３０では、航跡情報評価器１３から入力されるセンサの優先度を元に、追尾対象目標の周りのある限られた領域内の観測情報だけ出力するための制御信号を、通信伝送量評価器１４に入力する。
【０１００】
そして、通信伝送量評価器１４では、第１の伝送データ領域調整器３０から入力される、追尾対象目標の周りのある限られた領域内の観測情報だけ出力するための制御信号と、航跡情報評価器１３から入力されるセンサの優先度を用いて、各センサと中央の追尾フィルタ１６との間の通信回線におけるデータの伝送容量を、各センサの各目標に対し、どのように配分したらよいかのルールを決める。そして、そのルールに基づいて、センサ群１２中の各センサから中央の追尾フィルタ１６へ伝送する航跡情報や観測情報の出力内容および伝送容量を制御するための制御信号を、各センサ群１２へ出力する。
【０１０１】
したがって、実施の形態１２によれば、センサ群１２から、追尾対象目標の周りのある限られた領域内の観測情報だけ出力することにより、センサシステム全体の通信伝送量および演算負荷を抑えることができため、その効果は大きい。
【０１０２】
実施の形態１３．
次に、この発明の実施の形態１３に係る追尾装置について図面を参照しながら説明する。
図２４は、この発明の実施の形態１３に係る追尾装置の構成を示すブロック図である。
図２４において、図２３に示す実施の形態１２と同一部分は同一符号を付して示し、その説明は省略する。新たな構成として、図２４に示す実施の形態１３では、第１の伝送データ領域調整器３０から入力される、追尾対象目標の周りのある限られた領域内の観測情報だけ出力するための制御信号と、観測情報・航跡情報統合器１５から入力される、各目標毎に整理された航跡情報および観測情報とに基づいて、第１の伝送データ領域調整器３０において使用した、追尾対象目標の周りのある限られた領域より、さらに小さい領域を追尾処理用の領域として設定して、設定した追尾処理用の領域内の観測情報のみ使用するための制御信号を、中央の追尾フィルタ１６に出力する第２の伝送データ領域調整器３１をさらに備えており、中央の追尾フィルタ１６は、その制御信号に基づいて限られた追尾処理用の領域内の観測情報のみを使用して追尾処理を行うようになされている。
【０１０３】
図２４に示す構成において、第２の伝送データ領域調整器３１には、第１の伝送データ領域調整器３０から、追尾対象目標の周りのある限られた領域内の観測情報だけ出力するための制御信号が入力される。また、観測情報・航跡情報統合器１５から、各目標毎に整理された航跡情報および観測情報が入力される。そして、第２の伝送データ領域調整器３１は、これら入力に基づいて第１の伝送データ領域調整器３０において使用した、追尾対象目標の周りのある限られた領域より、さらに小さい領域を追尾処理用の領域として設定し、設定した追尾処理用の領域内の観測情報のみ使用するための制御信号を、中央の追尾フィルタ１６に入力する。
【０１０４】
したがって、実施の形態１３によれば、中央の追尾フィルタ１６において、センサ群１２から、追尾対象目標の周りのある限られた領域よりも、さらに限られた追尾処理用の領域内の観測情報のみを使用して、追尾処理を行うことにより、センサシステム全体の演算負荷を抑えることができる。
【０１０５】
つまり、実施の形態１３によれば、追尾処理用の領域内の観測情報のみを使用して、追尾処理を行うため、センサシステム全体の演算負荷を抑えることができることから、その効果は大きい。
【０１０６】
実施の形態１４．
次に、この発明の実施の形態１４に係る追尾装置について図面を参照しながら説明する。
図２５は、この発明の実施の形態１４に係る追尾装置の構成を示すブロック図である。
図２５において、図１に示す実施の形態１と同一部分は同一符号を付して示し、その説明は省略する。新たな構成として、図２５に示す実施の形態１４では、観測情報・航跡情報統合器１５から入力される、各目標毎に整理された航跡情報および観測情報と、センサ群１２から入力される、目標の脅威情報とを用いて、観測領域毎に、図１１に示す探知データ統合方式と、図１０に示す航跡統合方式による追尾処理を行うための制御信号を、中央の追尾フィルタ１６に出力するデータ融合方式調整器３２をさらに備えており、中央の追尾フィルタ１６は、データ融合方式調整器３２からの制御信号に基づいて、観測領域毎に、探知データ統合方式と航跡統合方式とによる追尾処理を行うようになされている。
【０１０７】
図２５に示す構成において、データ融合方式調整器３２には、観測情報・航跡情報統合器１５から、各目標毎に整理された航跡情報および観測情報が入力される。また、データ融合方式調整器３２には、センサ群１２から、目標の脅威情報が入力される。データ融合方式調整器３２では、観測情報・航跡情報統合器１５から入力された、各目標毎に整理された航跡情報および観測情報と、センサ群１２から入力された、目標の脅威情報とを用いて、観測領域毎に、探知データ統合方式と、航跡統合方式とによる追尾処理を行うための制御信号を、中央の追尾フィルタ１６に出力する。
【０１０８】
したがって、実施の形態１４によれば、中央の追尾フィルタ１６において、観測領域毎に、探知データ統合方式と、航跡統合方式とによる追尾処理を行うことで、追尾性能が悪い航跡情報の精度の向上と、制限された演算量の範囲内での追尾処理を行うことが可能となる。
【０１０９】
実施の形態１５．
次に、この発明の実施の形態１５に係る追尾装置について図面を参照しながら説明する。
図２６は、この発明の実施の形態１５に係る追尾装置の構成を示すブロック図である。
図２６において、図１に示す実施の形態１と同一部分は同一符号を付して示し、その説明は省略する。新たな構成として、図２６に示す実施の形態１５では、センサ群１２から得られる、各センサの航跡情報の一部、観測情報の一部、脅威情報を入力し、各センサの航跡情報の一部と観測情報の一部を用いて、目標とセンサを結ぶベクトルを求め、目標とあるセンサを結ぶベクトルと、目標とある他のセンサを結ぶベクトルとの内積に基づいて観測情報の優劣を判定し、その判定結果を通信伝送量評価器１４に出力する第１のセンサ選択調整器３３をさらに備えており、通信伝送量評価器１４は、第１のセンサ選択調整器３３から入力される観測情報の優劣の判定結果と、航跡情報評価器１３から入力されるセンサの優先度を元に、各センサと中央の追尾フィルタ１６との間の通信回線におけるデータの伝送容量を、各センサの各目標に対する配分ルールを決めて制御するための制御信号をセンサ群１２へ出力するようになされている。
【０１１０】
図２６に示す構成において、第１のセンサ選択調整器３３には、センサ群１２から得られる、各センサの航跡情報の一部、各センサの観測情報の一部、各センサの脅威情報が入力され、センサ群１２から入力される各センサの航跡情報の一部、各センサの観測情報の一部を用いて、目標とセンサを結ぶベクトルを求める。また、目標とあるセンサを結ぶベクトルと、目標と他のセンサを結ぶベクトルとの内積を求めることにより、観測情報の優劣を判定する。
【０１１１】
そして、通信伝送量評価器１４では、第１のセンサ選択調整器３３から入力される観測情報の優劣の判定結果と、航跡情報評価器１３から入力されるセンサの優先度を元に、各センサと中央の追尾フィルタ１６との間の通信回線におけるデータの伝送容量を、各センサの各目標に対し、どのように配分したらよいかのルールを決め、そのルールに基づいて、センサ群１２中の各センサから中央の追尾フィルタ１６へ伝送する航跡情報や観測情報の出力内容および伝送容量を制御するための制御信号を、各センサ群１２へ出力する。
【０１１２】
この実施の形態１５における効果を示す概念図を図２７と図２８に示す。
図２７は、センサ（１）がＡ点、センサ（２）がＢ点、センサ（３）がＣ点、目標がＤ点の配置にある場合である。ここで、ベクトルＡＤとベクトルＢＤとベクトルＣＤの大きさは同じであり、ベクトルＡＤとベクトルＣＤのなす角度は９０度である。図２７のような配置の場合、センサ（１）とセンサ（３）を使用して観測した方が、センサ（１）とセンサ（２）を使用して観測するよりも、航跡情報の精度が向上する。すなわち、ベクトルＡＤとベクトルＢＤの内積の大きさよりも、ベクトルＡＤとベクトルＣＤの内積の方が小さくなる。よって、図２７のような配置の場合、目標とあるセンサを結ぶベクトルと、目標とある他のセンサを結ぶベクトルの内積の大きさが０に近いほど、観測効果が大きいため、センサ（３）は、センサ（２）に比べて、観測情報が優れていると判定される。
【０１１３】
図２８は、センサ（１）がＡ点、センサ（２）がＢ点、センサ（３）がＣ点、目標がＤ点の配置にある場合である。ここで、点ＢはＣＤ上に存在し、ベクトルＢＤの大きさは、ベクトルＣＤの大きさよりも小さいものとする。図２８のような配置の場合、センサ（１）とセンサ（３）を使用して観測した方が、センサ（１）とセンサ（２）を使用して観測するよりも、航跡情報の精度が向上する、すなわち、ベクトルＡＤとベクトルＢＤの内積の大きさよりも、ベクトルＡＤとベクトルＣＤの内積の方が小さくなる。よって、図２８のような配置の場合、目標とあるセンサを結ぶベクトルと、目標とある他のセンサを結ぶベクトルの内積の大きさが０に近いほど、観測効果が大きいため、センサ（３）は、センサ（２）に比べて、観測情報が優れていると判定することが可能である。
【０１１４】
したがって、この実施の形態１５によれば、目標とあるセンサを結ぶベクトルと、目標とある他のセンサを結ぶベクトルの内積の大きさをみることにより、観測情報の優劣を判定することで、より良い観測情報が得られ、その結果、センサシステム全体の航跡情報の精度が向上させることが可能となるため、その効果は大きい。
【０１１５】
実施の形態１６．
次に、この発明の実施の形態１６に係る追尾装置について図面を参照しながら説明する。
図２９は、この発明の実施の形態１６に係る追尾装置の構成を示すブロック図である。
図２９において、図１に示す実施の形態１と同一部分は同一符号を付して示し、その説明は省略する。新たな構成として、図２９に示す実施の形態１６では、航跡情報評価器１３から入力される、センサの優先度決定に使用された航跡情報、観測情報、目標の脅威情報と、通信伝送量評価器１４から入力される、各センサと中央の追尾フィルタ１６との間における通信伝送容量と、中央の追尾フィルタ１６から入力される目標の航跡情報とを格納する追尾性能データベース３５と、追尾性能データベース３５に格納された、過去の追尾処理結果に係る全ての追尾性能データを基に、適切な伝送容量を決定するための伝送量制御ルールを抽出する伝送量制御ルール抽出器３４と、伝送量制御ルール抽出器によって抽出された伝送量制御ルールを格納する伝送量制御ルールベース３６とをさらに備えており、通信伝送量評価器１４は、伝送量制御ルールベース３６から伝送量制御ルールを検索し、航跡情報評価器１３からの情報を基に適用可能なルールを選択し、選択されたルールを適用して各センサと中央の追尾フィルタ１６との間における通信伝送容量を決定するようになされている。
【０１１６】
図２９に示す構成において、追尾性能データベース３５には、航跡情報評価器１３において、センサの優先度決定に使用された航跡情報、観測情報、目標の脅威情報が入力される。また、追尾性能データベース３５には、通信伝送量評価器１４において決定された、各センサと中央の追尾フィルタ１６との間における通信伝送容量が入力される。さらに、追尾性能データベース３５には、中央の追尾フィルタ１６によって計算された目標の航跡情報が入力される。これらの入力情報は、この追尾装置が動作する度に追尾性能データベースに入力されるため、データベースは過去の全ての追尾に係るデータを格納することになる。
【０１１７】
伝送量制御ルール抽出器３４には、追尾性能データベースに格納された、過去の追尾処理結果に係る全ての追尾性能データ、すなわちセンサ毎の航跡情報と、観測情報、目標の脅威情報、決定された通信伝送容量、中央で計算された目標の航跡情報が入力される。伝送量制御ルール抽出器３４は、前記の追尾性能データを基に、適切な伝送容量を決定するための伝送量制御ルールを抽出する。このルールは、例えば「目標の旋回が検出されたら、伝送容量を２倍にすると、追尾成功率が８０％以上となる」、「目標付近にクラッタが同時に観測されたら、伝送データ中の観測値と航跡情報の配分を、観測値７０％以上にすると、追尾成功率が８０％以上となる」といったルールであり、データベースからの知識発見技術を用いることによって実現可能である。伝送量制御ルールベース３６には、伝送量制御ルール抽出器３４によって抽出された伝送量制御ルールが入力される。伝送量制御ルールベース３６は抽出された伝送量制御ルールを全て格納する。
以上の処理は、現時刻の観測状況から追尾処理を行う以前に行われる。
【０１１８】
現時刻の追尾処理は、基本的には実施の形態１に記載された通りの動作となる。ただし、通信伝送量評価器１４では、伝送量制御ルールベース３６から伝送量制御ルールを検索し、航跡情報評価器１３から入力される航跡情報、観測情報、目標の脅威情報を基に適用可能なルールを選択する。そして、選択されたルールを適用して各センサと中央の追尾フィルタ１６との間における通信伝送容量を決定する。
【０１１９】
したがって、この実施の形態１６によれば、通信伝送容量を決定するためのルールを、過去の追尾情報を用いて抽出するため、人手によるルール考案の負荷が削減され、現実に即したより効果的なルールを抽出することが可能となるため、その効果は大きい。
【０１２０】
実施の形態１７．
次に、この発明の実施の形態１７に係る追尾装置について図面を参照しながら説明する。
図３０は、この発明の実施の形態１７に係る追尾装置の構成を示すブロック図である。
図３０において、図２９に示す実施の形態１６と同一部分は同一符号を付して示し、その説明は省略する。新たな構成として、図３０に示す実施の形態１７では、追尾装置が実際に動作するセンサ配置とそれらの追尾情報を利用する中央の追尾フィルタ１６の存在を想定した追尾シミュレーションを計算機上で行うことにより追尾性能データを生成する追尾性能予測器３７をさらに備えており、追尾性能データベース３５には、追尾性能予測器３７で生成された情報がさらに格納される。
【０１２１】
図３０に示す構成において、追尾性能予測器３７は、追尾装置が実際に動作するセンサ配置とそれらの追尾情報を利用する中央の追尾フィルタ１６の存在を想定した追尾シミュレーションを計算機上で行うことにより、追尾性能データを生成する。
【０１２２】
追尾性能データベース３５には、追尾性能予測器３７において生成されたシミュレーションに関する情報、目標運動情報、センサ毎の観測情報と航跡情報、目標の脅威情報、さらに中央の追尾フィルタ１６で航跡情報生成に使われたセンサ毎の観測情報と航跡情報が入力される。すなわち、追尾性能データベース３５は、シミュレーションによって予測されたの全ての追尾に係るデータを格納することになる。
【０１２３】
伝送量制御ルール抽出器３４には、追尾性能データベースに格納された、追尾性能データ、すなわちセンサ毎の航跡情報と、観測情報、目標の脅威情報、中央の追尾フィルタ１６が使用した観測情報と航跡情報、さらに中央の追尾フィルタ１６が計算した目標の航跡情報が入力される。伝送量制御ルール抽出器３４は、前記の追尾性能データを基に、適切な伝送容量を決定するための伝送量制御ルールを抽出する。
【０１２４】
伝送量制御ルールベース３６には、伝送量制御ルール抽出器によって抽出された伝送量制御ルールが入力される。伝送量制御ルールベース３６は抽出された伝送量制御ルールを全て格納する。
以上の処理は、現時刻の観測状況から追尾処理を行う以前に行われる。
【０１２５】
現時刻の追尾処理は、基本的には実施の形態１に記載された通りの動作となる。ただし、通信伝送量評価器１４では、伝送量制御ルールベースから伝送量制御ルールを検索し、航跡情報評価器１３から入力される航跡情報、観測情報、目標の脅威情報を基に適用可能なルールを選択する。そして選択されたルールを適用して各センサと中央の追尾フィルタ１６との間における通信伝送容量を決定する。
【０１２６】
したがって、この実施の形態１７によれば、通信伝送容量を決定するためのルールを、計算機シミュレーションを基にした追尾情報を用いて抽出するため、人手によるルール考案の負荷が削減され、現実に即したより効果的なルールを抽出することが可能となる。また、過去の追尾情報を利用する場合よりも多様な情報を活用できるため、その効果は大きい。
【図面の簡単な説明】
【０１２７】
【図１】この発明の実施の形態１に係る追尾装置の構成を示すブロック図である。
【図２】図１の追尾装置における追尾動作の一例を示したフローチャートである。
【図３】この発明の実施の形態２に係る追尾装置の構成を示すブロック図である。
【図４】この発明の実施の形態３に係る追尾装置の構成を示すブロック図である。
【図５】この発明の実施の形態４に係る追尾装置の構成を示すブロック図である。
【図６】この発明の実施の形態５に係る追尾装置の構成を示すブロック図である。
【図７】大量の観測情報および航跡情報を必要とする場合と必要としない場合の例を示す説明図である。
【図８】航跡統合方式の概念図である。
【図９】探知データ統合方式の概念図である
【図１０】航跡統合方式による航跡算出に係るブロック図である。
【図１１】探知データ統合方式による航跡算出に係るブロック図である。
【図１２】この発明の実施の形態６に係る追尾装置の構成を示すブロック図である。
【図１３】グループトラックの概念図である。
【図１４】この発明の実施の形態７に係る追尾装置の構成を示すブロック図である。
【図１５】この発明の実施の形態８に係る追尾装置の構成を示すブロック図である。
【図１６】この発明の実施の形態９に係る追尾装置の構成を示すブロック図である。
【図１７】この発明の実施の形態１０に係る追尾装置の構成を示すブロック図である。
【図１８】２目標直進交差における真の軌跡図である。
【図１９】２目標直進交差における、交差付近で誤追尾する例を表した図である。
【図２０】２目標直進交差における、数サンプリング後の観測情報が得られて、誤追尾が解消される例を表した図である。
【図２１】この発明の実施の形態１１に係る追尾装置の構成を示すブロック図である。
【図２２】センサを追加した場合の観測効果を表す概念図である。
【図２３】この発明の実施の形態１２に係る追尾装置の構成を示すブロック図である。
【図２４】この発明の実施の形態１３に係る追尾装置の構成を示すブロック図である。
【図２５】この発明の実施の形態１４に係る追尾装置の構成を示すブロック図である。
【図２６】この発明の実施の形態１５に係る追尾装置の構成を示すブロック図である。
【図２７】この発明の実施の形態１５の効果を説明するための目標とセンサの配置を示した概念図である。
【図２８】この発明の実施の形態１５の効果を説明するための目標とセンサの配置を示した概念図である。
【図２９】この発明の実施の形態１６に係る追尾装置の構成を示すブロック図である。
【図３０】この発明の実施の形態１７に係る追尾装置の構成を示すブロック図である。
【符号の説明】
【０１２８】
１１  目標群、１２  センサ群、１３  航跡情報評価器、１４  通信伝送量評価器、１５  観測情報・航跡情報統合器、１６  中央の追尾フィルタ、  １７  追尾性能評価器、１８  通信伝送量調整器、１９  航跡情報制御器、２０  サンプリング制御器、２１  第１の観測情報・航跡情報制御器、２２  第２の観測情報・航跡情報制御器、２３  第１のデータベース、２４  第３の観測情報・航跡情報制御器、１２−ａ  第１のセンサ群、２５  第１の航跡統合器、１２−ｂ  第２のセンサ群、２６  第１の探知データ統合器、２７  航跡情報・観測情報データベース、２８  仮説処理器、  ２９  新たに追加したセンサ・追尾フィルタ、３０  第１の伝送データ領域調整器、３１  第２の伝送データ領域調整器、３２  データ融合方式調整器、３３  第１のセンサ選択調整器、３４  伝送量制御ルール抽出器、３５  追尾性能データベース、３６  伝送量制御ルールベース、３７  追尾性能予測器。
【図１】
2006047050.tif 000003
【図２】
2006047050.tif 000004
【図３】
2006047050.tif 000005
【図４】
2006047050.tif 000006
【図５】
2006047050.tif 000007
【図６】
2006047050.tif 000008
【図７】
2006047050.tif 000009
【図８】
2006047050.tif 000010
【図９】
2006047050.tif 000011
【図１０】
2006047050.tif 000012
【図１１】
2006047050.tif 000013
【図１２】
2006047050.tif 000014
【図１３】
2006047050.tif 000015
【図１４】
2006047050.tif 000016
【図１５】
2006047050.tif 000017
【図１６】
2006047050.tif 000018
【図１７】
2006047050.tif 000019
【図１８】
2006047050.tif 000020
【図１９】
2006047050.tif 000021
【図２０】
2006047050.tif 000022
【図２１】
2006047050.tif 000023
【図２２】
2006047050.tif 000024
【図２３】
2006047050.tif 000025
【図２４】
2006047050.tif 000026
【図２５】
2006047050.tif 000027
【図２６】
2006047050.tif 000028
【図２７】
2006047050.tif 000029
【図２８】
2006047050.tif 000030
【図２９】
2006047050.tif 000031
【図３０】
2006047050.tif 000032